(57)【特許請求の範囲】
【請求項１】
駆動用モータのモータロックを判定し、モータロック判定時にはモータの駆動力を駆動力要求に応じた通常値よりも低い制限値とし、モータロック解除判定時には駆動力を通常値まで復帰させる電動車両の駆動力制御装置において、
前記通常値と前記制限値との間で駆動力を変化させる際の駆動力変化率を、路面勾配、駆動力要求またはモータ温度の少なくとも１つに基づいて設定する駆動力変化率設定手段を備えることを特徴とする電動車両の駆動力制御装置。
【請求項２】
請求項１に記載の電動車両の駆動力制御装置において、
前記駆動力変化率設定手段は、路面勾配が大きいほど、前記駆動力を通常値から制限値へ変化させる際の駆動力変化率をより小さくすることを特徴とする電動車両の駆動力制御装置。
【請求項３】
請求項１または請求項２に記載の電動車両の駆動力制御装置において、
前記駆動力変化率設定手段は、路面勾配が大きいほど、前記駆動力を制限値から通常値へ変化させる際の駆動力変化率をより大きくすることを特徴とする電動車両の駆動力制御装置。
【請求項４】
請求項１ないし請求項３のいずれか１項に記載の電動車両の駆動力制御装置において、
前記駆動力変化率設定手段は、ドライバが車両を発進させる操作を行った場合、前記駆動力変化率をより大きくすることを特徴とする電動車両の駆動力制御装置。
【請求項５】
請求項１ないし請求項４のいずれか１項に記載の電動車両の駆動力制御装置において、
前記駆動力変化率設定手段は、前記モータまたはモータ駆動回路の温度が高いほど、前記駆動力変化率をより大きくすることを特徴とする電動車両の駆動力制御装置。
【請求項６】
請求項１ないし請求項５のいずれか１項に記載の電動車両の駆動力制御装置において、
ナビゲーションシステム、加速度センサ、ジャイロ、走行抵抗演算または駆動力演算の少なくとも１つを用いて路面勾配を検出する路面勾配検出手段を備えることを特徴とする電動車両の駆動力制御装置。
【請求項７】
駆動用モータのモータロックを判定し、モータロック判定時にはモータの駆動力を駆動力要求に応じた通常値よりも低い制限値とし、モータロック解除判定時には駆動力を通常値まで復帰させる電動車両の駆動力制御装置において、
前記通常値と前記制限値との間で駆動力を変化させる際の駆動力変化率を、路面勾配、駆動力要求またはモータ温度の少なくとも１つに基づいて設定することを特徴とする電動車両の駆動力制御装置。
【発明の詳細な説明】
【技術分野】
【０００１】
本発明は、電動車両の駆動力制御装置の技術分野に属する。
【背景技術】
【０００２】
従来の電動車両の駆動力制御装置では、登坂路にてドライバがアクセルコントロールにより車両を停止させる状態が許容時間を超えて継続した場合、モータロックと判定し、モータの駆動力をアクセル開度に応じた通常値から制限値まで変化させることで、モータの過熱を抑制している（例えば、特許文献１参照）。
【特許文献１】特開平９−５６１８２号公報
【発明の開示】
【発明が解決しようとする課題】
【０００３】
アクセルコントロールにて車両を傾斜路に停止中、モータロック判定により駆動力を制限した場合、停止状態を維持できず、車両が傾斜路をずり下がる。このとき、上記従来技術にあっては、路面勾配やモータの状態にかかわらず、モータの駆動力を通常値から制限値まで一度に変化させているため、例えば、路面傾斜の大小によって車両のずり下がり量が変化し、車両の制御性が悪化するという問題があった。
【０００４】
本発明は、上記問題に着目してなされたもので、その目的とするところは、登坂路等において、モータロック時およびモータロック解除時の車両制御性の向上を図ることができる電動車両の駆動力制御装置を提供するにある。
【課題を解決するための手段】
【０００５】
上述の目的を達成するため、本発明では、
駆動用モータのモータロックを判定し、モータロック判定時にはモータの駆動力を駆動力要求に応じた通常値よりも低い制限値とし、モータロック解除判定時には駆動力を通常値まで復帰させる電動車両の駆動力制御装置において、
前記通常値と前記制限値との間で駆動力を変化させる際の駆動力変化率を、路面勾配、駆動力要求またはモータ温度の少なくとも１つに基づいて設定する駆動力変化率設定手段を備えることを特徴とする。
【発明の効果】
【０００６】
本発明の電動車両の駆動力制御装置では、モータロック判定時、またはモータロック解除判定時、通常値と制限値との間で駆動力を変化させる際の駆動力変化率を、路面勾配、路面勾配、駆動力要求またはモータ温度の少なくとも１つに基づいて変化させる。
したがって、例えば、路面勾配が大きいほど、モータの駆動力を通常値から制限値へ変化させる際の駆動力変化率を小さくすることで、路面勾配の大小にかかわらず、モータロック判定時のずり下がり量を一定に保つことができる。
また、路面勾配が小さいほど、モータの駆動力を制限値から通常値へと復帰させる際の駆動力変化率を小さくすることで、発進時の駆動トルクの変動を抑制することができる。
この結果、登坂路等において、モータロック時およびモータロック解除時の車両制御性の向上を図ることができる。
【発明を実施するための最良の形態】
【０００７】
以下、本発明を実施するための最良の形態を、実施例１，２に基づいて説明する。
【実施例１】
【０００８】
まず、構成を説明する。
図１は、実施例１の電動車両の駆動力制御装置を適用したハイブリッド車両の駆動系を示す構成図であり、実施例１の電動車両の駆動力制御装置は、車両の駆動源であるエンジン１および電動モータ（駆動用モータであり、以下モータと略記する。）２と、遊星歯車機構等を用いた動力分割機構３と、発電機４と、バッテリ５と、インバータ６ａ，６ｂと、統合コントローラ７と、を備えている。
【０００９】
統合コントローラ７は、アクセル開度、車速、バッテリSOC、エンジン回転数等に基づいて、目標エンジントルク指令値、目標モータトルク指令値を生成し、エンジン１およびモータ２を駆動制御する。
【００１０】
実施例１のハイブリッド車両では、発進時や低速走行時、緩やかな坂を下る時など、エンジン効率の悪い領域は燃料をカットして、エンジン１を止めモータ２で走行する。
通常走行時は、動力分割機構３によりエンジン動力を２分割し、一方は駆動輪８，８を直接駆動する。他方は発電機４を駆動して発電し、この電力でモータ２を駆動し駆動力をアシストする。
全開加速時には、バッテリ５からもパワーが供給され、さらに駆動力を追加する。
減速・制動時には、駆動輪８，８がモータ２を駆動し発電機として作動させて回生発電を行いバッテリ５に蓄えられる。
【００１１】
また、実施例１では、統合コントローラ７において、モータの状態（モータ電流、モータ回転数等）に基づいて、モータロックを判定する。そして、モータロックと判定した場合には、モータ２の目標モータトルク指令値を駆動力要求（アクセル開度）に応じた通常値よりも低い制限値まで低下させ、モータ２およびインバータ６ａの保護を図る。この駆動力制限中にモータロックが解除されたと判定した場合には、モータ２の目標モータトルク指令値を制限値から通常値に復帰させる。
【００１２】
このとき、実施例１では、モータロック判定時において、目標モータトルク指令値を通常値から制限値まで変化させる際のトルク減少レート（駆動力変化率）と、モータロック解除判定時において、目標モータトルク指令値を制限値から通常値まで変化させる際のトルク復帰レート（駆動力変化率）を、路面勾配、アクセル開度に応じて設定するトルク制御レート設定制御処理を実施する。
【００１３】
［トルク制御レート設定制御処理］
図２は、実施例１の統合コントローラ７で実行されるトルク制御レート設定制御処理の流れを示すフローチャートで、以下、各ステップについて説明する。なお、この制御処理は、所定の制御周期毎に繰り返し実施される（駆動力変化率設定手段に相当）。
【００１４】
ステップS1では、ドライバが登坂路において、ブレーキを使用せずにアクセルコントロールのみで車両を停止（または極定速で前進走行）させているか否か、または、後述するモータ２のトルク制限を実施しているか否かを判定する。YESの場合にはステップS2へ移行し、NOの場合にはリターンへ移行する。
【００１５】
ステップS2では、モータロックが成立したか否かを判定するモータロック判定制御処理（図３参照）を実施し、ステップS3へ移行する。このモータロック判定制御処理については後述する。
【００１６】
ステップS3では、ステップS2においてモータロック成立と判定されたか否かを判定する。YESの場合にはステップS4へ移行し、NOの場合にはステップS5へ移行する。
【００１７】
ステップS4では、目標モータトルク指令値を制限するトルク制限を開始し、ステップS6へ移行する。ここで、目標モータトルク指令値を通常値から制限値まで変化させる際のトルク減少レートは、図４に示すマップを参照して設定する。図４に示すように、トルク減少レートは、路面勾配（路面傾斜率[%]）が大きいほど小さくなる特性に設定されている。
【００１８】
ステップS5では、モータトルクの制限を解除するトルク復帰を開始し、ステップS6へ移行する。ここで、目標モータトルク指令値を制限値から通常値まで変化させる際のトルク復帰レートは、図５に示すマップを参照して設定する。図５に示すように、トルク復帰レートは、路面勾配に比例して大きくなる特性に設定されている。
【００１９】
ステップS6では、勾配検知処理を実施して路面傾斜率[%]を算出し、ステップS7へ移行する（路面勾配検出手段に相当）。実施例１では、路面傾斜率の算出方法として、ナビゲーションシステム、加速度センサ、ジャイロ、走行抵抗演算または駆動力演算の少なくとも１つを用いることとする。
【００２０】
ステップS7では、ステップS6で検出した勾配値（路面傾斜率）に応じて、モータ２のトルク制御レート（トルク減少レート，トルク復帰レート）を設定し、ステップS8へ移行する。
【００２１】
ステップS8では、モータロック成立時のアクセル開度からのアクセル開度変化量が所定値（例えば、3%）未満であるか否かを判定する。YESの場合にはリターンへ移行し、NOの場合にはステップS9へ移行する。
【００２２】
ステップS9では、トルク制御レートをアップさせ、リターンへ移行する。トルク制限中は、路面勾配に応じてトルク減少レートを上乗せし（図６）、トルク復帰時には、路面勾配に応じてトルク復帰レートを上乗せする（図７）。
【００２３】
［モータロック判定制御処理］
図３は、図２のステップS2で実施されるモータロック判定制御処理の流れを示すフローチャートで、以下、各ステップについて説明する。
【００２４】
ステップS2-1では、モータ温度が所定値よりも大きいか否かを判定する。YESの場合にはステップS2-2へ移行し、NOの場合にはステップS2-5へ移行する。
【００２５】
ステップS2-2では、モータ回転数の絶対値が所定値未満であるか否かを判定する。YESの場合にはステップS2-3へ移行し、NOの場合にはステップS2-5へ移行する。
【００２６】
ステップS2-3では、モータトルクの絶対値が所定値よりも大きいか否かを判定する。YESの場合にはステップS2-4へ移行し、NOの場合にはステップS2-5へ移行する。
【００２７】
ステップS2-4では、モータロック成立と判定し、本制御を終了する。
【００２８】
ステップS2-5では、モータロック不成立と判定し、本制御を終了する。
【００２９】
次に、作用を説明する。
［モータロックによる駆動力低下について］
特開２００５−５１８８６号公報には、登坂路における車両のずり下がり対策として、車両の加速度とモータの出力トルクとに基づいて路面勾配に対する車両の釣り合いトルクを演算し、この釣り合いトルクとドライバのアクセル操作に応じた要求トルクとに基づいて実行トルクを設定し、この実行トルクがモータから出力されるよう制御する技術が記載されている。
【００３０】
ところが、上記従来技術では、以下のような問題を有している。
(a) モータとエンジンとを車両の駆動源とするハイブリッド車両では、低車速域では燃費向上を図るためにモータで駆動力を発生させるのが一般的である。よって、上記従来技術でも、登坂路にてドライバがアクセルコントロールで停止する場合には、モータの駆動力のみに頼ることとなる。ところが、路面勾配により計算される車両停止維持に必要な駆動トルクがモータ体格以上である場合には、停止状態を維持できず、車両は登坂路をずり下がってしまう。
【００３１】
(b) また、車両停止維持に必要な駆動力が体格制限内であった場合でも、モータ回転数と車両駆動軸回転数が比例する関係にあるシステムであれば、軸回転数がゼロ回転近辺では、モータもゼロ回転付近となり、モータロックと判定される。ユニット保護の目的から、モータロック時はモータトルクが制限されるため、ある勾配以上の登坂路では、アクセルコントロールにて停止状態を維持できず、車両のずり下がりが発生する。
【００３２】
(c) 車両が登坂路をずり下がることでモータロックが解除され、これに伴いトルク制限を解除することで車両停止を維持するための駆動トルクが得られるが、再モータロックとなり、再びトルク制限がなされるため、車両が前後方向に揺動を繰り返す。
【００３３】
(d) モータロックにより駆動トルクが制限されている間は、ドライバがアクセルペダルをいくら踏み増ししても、踏み込みに応じた駆動トルクは得られず、アクセルに対して車両が反応しないため、前後揺動状態から脱することができない。
【００３４】
［路面勾配に応じたトルク制御レート設定作用］
これに対し、実施例１の電動車両の駆動力制御装置では、モータロック判定により、モータ２の駆動力を制限する際のトルク減少レートを、路面傾斜率が大きいほどより小さくする。
【００３５】
このとき、図８(a)に示すように、ドライバがアクセルペダルの踏み込み量を一定とし、アクセルコントロールにて車両を停止させている場合には、図２のフローチャートにおいて、ステップS1→ステップS2→ステップS3→ステップS4→ステップS6→ステップS7→ステップS8へと進む流れが繰り返される。すなわち、路面傾斜率に応じて設定されたトルク減少レートに基づいて、トルク制限が行われ、車両がずり下がる（図８(b)）。
【００３６】
従来技術では、路面傾斜率にかかわらず、トルク減少レートを一定とするため、路面傾斜率が大きくなるほどずり下がり量およびずり下がり速度も大きくなり、車両挙動にバラツキが生じるため、車両制御性が悪い。
【００３７】
これに対し、実施例１では、モータロックによる車両のずり下がり量、およびずり下がり速度を、路面勾配にかかわらずほぼ一定に維持することが可能となるため、従来技術に対し、車両制御性の向上を図ることができる。
【００３８】
また、実施例１では、モータロック解除判定により、モータ２の駆動力制限を解除する際のトルク復帰レートを、路面傾斜率が大きいほどより大きくする。このとき、ドライバがアクセルペダルの踏み込み量を一定とし、アクセルコントロールにて車両を停止させている場合には、ステップS1→ステップS2→ステップS3→ステップS5→ステップS6→ステップS7→ステップS8へと進む流れが繰り返される。すなわち、路面傾斜率に応じて設定されたトルク復帰レートに基づいて、トルク復帰が行われ、車両が僅かに登坂した後、停止する（図８(c)）。
【００３９】
従来技術では、路面傾斜率にかかわらず、トルク復帰レートを一定とするため、路面傾斜率が小さい場合には、駆動トルクの急な立ち上がりによってトルク変動が生じると共に、車両が飛び出す可能性が高く、制御性に劣るという問題があった。
【００４０】
これに対し、実施例１では、路面傾斜率が小さい場合には、トルク復帰レートを小さくするため、従来技術に対し、モータロック解除時のトルク変動および車両の飛び出しを抑制することができる。
【００４１】
［モータ温度に応じたトルク制御レート設定作用］
実施例１では、モータトルク制限中のアクセル開度が所定値以上である場合には、ドライバに発進意志があると判定し、トルク減少レートとトルク復帰レートを共に大きくする。すなわち、ステップS1→ステップS2→ステップS3→ステップS4（またはステップS5）→ステップS6→ステップS7→ステップS8→ステップS9へと進む流れとなり、ステップS9では、路面勾配に応じてトルク減少レート（トルク復帰レート）が上乗せされる。
【００４２】
すなわち、ドライバがアクセルを踏み増しした場合には、車両を発進させる意志があると判断できるため、ドライバが車両を発進させる操作を行った場合には、トルク減少レートを大きくすることで、モータロックを早期に解除することができる。また、ドライバが車両を発進させる操作を行った場合には、トルク復帰レートを大きくすることで、再びモータロックと判定される状態を早期に脱出することができる。
【００４３】
よって、モータロック判定によるトルク減少中、およびモータロック解除によるトルク復帰中にアクセルを踏み増ししているにもかかわらず、モータロックの継続によりトルクが制限され、車両がずり下がり続ける現象を抑制することができる。また、発進時の車両挙動をドライバのアクセルワークに追従させることができ、運転性を向上させることができる。
【００４４】
図９は、実施例１のトルク制御レート設定制御を適用した場合の、アクセル開度、モータトルク、モータロック判定、モータ回転数を示すタイムチャートであり、ドライバはアクセルコントロールにより登坂路で車両を停止させている。
【００４５】
時点t1では、モータトルク、モータ回転数およびモータ温度から、モータロック判定がなされ、モータトルクがトルク減少レートに応じて減少するため、車両は登坂路をずり下がる。
【００４６】
時点t2では、モータロック解除判定がなされ、モータトルクがトルク復帰レートに応じて増加するため、車両は僅かに登坂した後、停止する。
【００４７】
時点t3〜t4の区間では、時点t1〜t2と同様、モータロック判定とモータロック解除判定により、モータトルクの減少、増加が行われるため、車両は登坂路をずり下がった後僅かに登坂し、停止する。このときのトルク減少レートおよびトルク復帰レートは、時点t1〜t2と同一の値に設定される。
【００４８】
時点t5では、ドライバがアクセルを踏み増ししたため、アクセル開度変化量≧所定値となり、トルク復帰レートが時点t2，t4で設定された値よりも大きな値が設定される。よって、時点t5〜t6の区間では、時点t2〜t3の区間およびt4〜t5の区間に対し、モータトルクの増加率は大きくなる。
【００４９】
時点t6では、モータロック判定がなされる。このとき、アクセル開度変化量≧所定値であるため、トルク減少レートは、時点t1,t3で設定された値よりも大きな値が設定される。よって、時点t6〜t7の区間は、時点t3〜t4の区間よりも短くなり、トルク制限に伴う車両のずり下がりが抑制され、ドライブのアクセルワークに追従させることができる。
【００５０】
次に、効果を説明する。
実施例１の電動車両の駆動力制御装置にあっては、以下に列挙する効果が得られる。
【００５１】
(1) 通常値と制限値との間で駆動力を変化させる際の駆動力変化率（トルク減少レート，トルク復帰レート）を、路面勾配に基づいて設定する駆動力変化率設定手段（図２）を備える。これにより、登坂路等において、モータロック時およびモータロック解除時の車両制御性の向上を図ることができる。
【００５２】
(2) 駆動力変化率設定手段は、路面勾配が大きいほどトルク減少レートをより小さくするため、モータロックによる車両のずり下がり量、およびずり下がり速度を、路面勾配にかかわらずほぼ一定に維持することが可能となるため、車両制御性の向上を図ることができる。
【００５３】
(3) 駆動力変化率設定手段は、路面勾配が大きいほどトルク復帰レートをより大きくするため、モータロック解除時のトルク変動および車両の飛び出しを抑制することができる。
【００５４】
(4) 駆動力変化率設定手段は、アクセル開度変化率が所定値以上である場合、トルク減少レートおよびトルク復帰レートをより大きくするため、モータロック判定によるトルク減少中、およびモータロック解除によるトルク復帰中にアクセルを踏み増ししているにもかかわらず、モータロックの継続によりトルクが制限され、車両がずり下がり続ける現象を抑制することができる。また、発進時の車両挙動をドライバのアクセルワークに追従させることができ、運転性を向上させることができる。
【００５５】
(5) ナビゲーションシステム、加速度センサ、ジャイロ、走行抵抗演算または駆動力演算の少なくとも１つを用いて路面勾配（路面傾斜率）を検出する路面勾配検出手段（ステップS6）を備えるため、高精度の勾配検出により、車両制御性の向上を図ることができる。
【実施例２】
【００５６】
実施例２は、モータ温度が高いほど、トルク制御レートをより大きくする例である。
なお、構成については、図１に示した実施例１と同様であるため、図示ならびに説明を省略する。
【００５７】
実施例２では、図１０に示すように、トルク制御レート設定制御処理において、モータ温度が高いほど、トルク制御レート（トルク減少レート，トルク復帰レート）を大きくする。なお、モータ温度に代えて、インバータ温度を用いてもよい。
【００５８】
次に、作用を説明すると、モータロック判定は、モータ温度に基づいて判定されるため、モータ温度が高いほど、モータロック判定の継続時間が長くなり、車両の制御性は悪化する。
【００５９】
これに対し、実施例２では、モータ温度が高いほど、トルク制御レートをより大きくするため、モータ温度が高い場合でも、モータロック判定の継続時間を短く抑えることができる。よって、モータ寿命の向上、熱によるトルク制限を抑制することができる。また、ドライバの前進または後進の意志に対する車両の制御性も向上する。
【００６０】
次に、効果を説明する。
実施例２の電動車両の駆動力制御装置にあっては、実施例１の効果に加え、以下の効果が得られる。
【００６１】
(6) 駆動力変化率設定手段は、モータ温度が高いほど、トルク制御レートをより大きくするため、モータ寿命の向上、熱によるトルク制限を抑制することができる。また、ドライバの前進または後進の意志に対する車両の制御性も向上する。
【００６２】
（他の実施例）
以上、本発明を実施するための最良の形態を、実施例１，２に基づいて説明したが、本発明の具体的な構成は、実施例１，２に限定されるものではなく、発明の要旨を逸脱しない範囲の設計変更等があっても本発明に含まれる。
【００６３】
例えば、実施例１，２では、エンジンと電動モータとを駆動源とするハイブリッド車両に本発明の駆動力制御装置を適用した例を示したが、本発明は、実施例１，２とは異なる構成のハイブリッド車両に適用することができる。また、ハイブリッド車両に限らず、図１１に示すようなモータ２のみを車両の駆動源とする電気自動車にも適用可能である。
【図面の簡単な説明】
【００６４】
【図１】実施例１の電動車両の駆動力制御装置を適用したハイブリッド車両の駆動系を示す構成図である。
【図２】実施例１の統合コントローラ７で実行されるトルク制御レート設定制御処理の流れを示すフローチャートである。
【図３】図２のステップS2で実施されるモータロック判定制御処理の流れを示すフローチャートである。
【図４】実施例１の路面勾配に応じたトルク減少レート設定マップである。
【図５】実施例１の路面勾配に応じたトルク復帰レート設定マップである。
【図６】実施例１のアクセル開度変化量に応じたトルク減少レート設定例である。
【図７】実施例１のアクセル開度変化量に応じたトルク復帰レート設定例である。
【図８】ドライバがアクセルコントロールにより車両を停止させている場合の、モータロック判定、モータロック解除判定に応じた車両挙動を示す説明図である。
【図９】実施例１のトルク制御レート設定制御を適用した場合の、アクセル開度、モータトルク、モータロック判定、モータ回転数を示すタイムチャートである。
【図１０】実施例２のモータ温度に応じたトルク制御レート設置マップである。
【図１１】本発明を適用可能な電気自動車の構成例を示す図である。
【符号の説明】
【００６５】
１  エンジン
２  モータ
３  動力分割機構
４  発電機
５  バッテリ
６ａ  インバータ
６ａ，６ｂ  インバータ
７  統合コントローラ
８，８  駆動輪
【図１】
0004710723.tif 000002
【図２】
0004710723.tif 000003
【図３】
0004710723.tif 000004
【図４】
0004710723.tif 000005
【図５】
0004710723.tif 000006
【図６】
0004710723.tif 000007
【図７】
0004710723.tif 000008
【図８】
0004710723.tif 000009
【図９】
0004710723.tif 000010
【図１０】
0004710723.tif 000011
【図１１】
0004710723.tif 000012